(57)【要約】【課題】患部に対する電磁波の照射効率を高めて、治療効率を向上させることができるとともに、周辺の電子機器に対する電磁波の悪影響も防ぐ。【解決手段】放射手段５０の背面側に遮蔽手段５１を設け、この遮蔽手段５１によって、放射手段５０の背面側に向け照射された電磁波を遮るとともに、その電磁波を遮蔽手段５１に反射させて前面側の生体患部に照射させる。これにより生体の患部には、より多くの電磁波が照射され、治療効率の向上を図ることができ、かつ周囲の電子機器に与える電磁波の悪影響も防ぐことができる。【選択図】図１
2008073164.tif 000002
【特許請求の範囲】
【請求項１】
治療器本体の出力端子から供給される電力により生体の患部に対して電磁波を放射する放射手段と、
この放射手段の背面側に設けられこの放射手段から放射された電磁波を遮る遮蔽手段と、
これら放射手段及び遮蔽手段に接するように設けられてこれら放射手段及び遮蔽手段の間隔を維持するための緩衝手段と、
が積層配置されていることを特徴とする電磁波照射用導子。
【請求項２】
前記放射手段は、渦巻き状に巻かれた導線を有することを特徴とする請求項１に記載の電磁波照射用導子。
【請求項３】
前記放射手段は、一対の電極を有することを特徴とする請求項１に記載の電磁波照射用導子。
【請求項４】
前記緩衝手段は、
放射手段の前面かつ生体に接する側に配置された第１の緩衝材と、
放射手段の背面側でかつ遮蔽手段との間に配置された第２の緩衝材と、
遮蔽手段の背面側に配置された第３の緩衝材と
から構成されることを特徴とする請求項１〜３のいずれか一項に記載の電磁波照射用導子。
【請求項５】
前記遮蔽手段は、柔軟性を有する格子状体により形成されていることを特徴とする請求項１〜４のいずれか一項に記載の電磁波照射用導子。
【請求項６】
請求項１〜５のいずれか一項に記載の電磁波照射用導子と、
当該電磁波照射用導子が取り付けられ、当該電磁波照射用導子を生体の患部に対して脱着させる装着手段と、
を有する電磁波照射用導子を備えた電磁波治療器。
【発明の詳細な説明】
【技術分野】
【０００１】
本発明は、例えば超短波やマイクロ波といった電磁波を用いて温熱治療を行うための電磁波照射用導子、及びこの電磁波照射用導子を備えた電磁波治療器に関するものである。
【背景技術】
【０００２】
超短波やマイクロ波といった電磁波を人体に照射し、体内に発生する透熱効果により温熱治療を行う治療器として、例えば特開２００１−４６５２０号公報（特許文献１）及び特開２００１−４６５２１号公報（特許文献２）に示されるものが知られている。特許文献１に示される治療用導子は、治療器本体の出力端子にそれぞれ接続された第１の電極と第２の電極とを有するものであって、これら電極は２個が対になって容量結合されることにより、治療器本体からの出力に対するインピーダンス回路を構成している。そして、このように構成された治療用導子では、第１の電極と第２の電極との間に患部を挟んだ状態で、これら電極に電圧を印加した場合に、電極にて発生した電磁波が患部に照射され、当患部に対する温熱治療が行われる。
【０００３】
特許文献２に示される治療用導子は、表面が低い誘電率かつ高い耐熱性の絶縁部材により被覆された１個の渦巻き状の導線と、この導線を収容する導線収容部とを備えたものであって、導線収容部内の導線には、治療器本体の出力整合回路からの駆動電圧が印加される。出力整合回路は、人体インピーダンスと、伝送経路の特性インピーダンスとの整合をとり、かつ渦巻き状の導線に駆動電圧を印加することで、導線にて電磁波を発生させるものであり、ここで発生した電磁波が患部に照射されることにより、当患部に対する温熱治療が行われる。
【特許文献１】特開２００１−４６５２０号公報
【特許文献２】特開２００１−４６５２１号公報
【発明の開示】
【発明が解決しようとする課題】
【０００４】
上記特許文献に示される治療用導子では、患部に照射するべき電磁波が、患部が位置しない異なる方向にも放射され、照射効率が悪いという問題が発生していた。例えば、特許文献１に示される治療用導子では、２つの導子間に挟むように位置させた患部にのみ電磁波を照射すべきであるが、その周辺に電磁波が拡散し、患部に対する治療効率が悪くなるという問題が生じていた。さらに、治療用導子の周辺に電子機器などがある場合には、外部に向け放射された電磁波によって、電子機器などが影響を受けるという被害発生の恐れもあった。
【０００５】
本発明は、従来の有していた問題を解決しようとするものであって、患部に対する電磁波の照射効率を高めて、治療効率を向上させることができるとともに、周辺の電子機器に対する電磁波の悪影響も防ぐことができる、電磁波照射用導子及びこの電磁波照射用導子を備えた電磁波治療器の提供を目的とする。
【課題を解決するための手段】
【０００６】
そして、上記目的を達成するために、本発明の課題解決手段では、治療器本体の出力端子から供給される電力により生体の患部に対して電磁波を放射する放射手段と、この放射手段の背面側に設けられこの放射手段から放射された電磁波を遮る遮蔽手段と、これら放射手段及び遮蔽手段に接するように設けられてこれら放射手段及び遮蔽手段の間隔を維持するための緩衝手段と、を積層配置することにより、電磁波照射用導子を構成する。
【０００７】
また、本発明の課題解決手段では、前記放射手段を渦巻き状に巻かれた導線とすることにより、電磁波照射用導子を構成する。
【０００８】
また、本発明の課題解決手段では、前記放射手段を一対の電極とすることにより、電磁波照射用導子を構成する。
【０００９】
また、本発明の課題解決手段では、前記放射手段の前面かつ生体に接する側に配置された第１の緩衝材と、放射手段の背面側でかつ遮蔽手段との間に配置された第２の緩衝材と、遮蔽手段の背面側に配置された第３の緩衝材とからなる緩衝手段を設けることにより、電磁波照射用導子を構成する。
【００１０】
また、本発明の課題解決手段では、前記遮蔽手段を、柔軟性を有する格子状体で形成することにより、電磁波照射用導子を構成する。
【００１１】
また、本発明の課題解決手段では、上述した電磁波照射用導子と、当該電磁波照射用導子が取り付けられ、当該電磁波照射用導子を生体の患部に対して脱着させる装着手段とから、電磁波照射用導子を備えた電磁波治療器を構成する。
【００１２】
上記のように構成された電磁波照射用導子、及び電磁波照射用導子を備えた電磁波治療器の作用について説明する。
上記課題解決手段に示される電磁波照射用導子では、放射手段の背面側に遮蔽手段が設けられているので、この遮蔽手段によって、放射手段の背面側に向け放射された電磁波が遮られ、かつその電磁波が遮蔽手段に反射して前面側にある生体患部に照射され、これにより生体の患部には、より多くの電磁波が照射される。また、この遮蔽手段より、放射手段から外部に向け放射された電磁波も遮蔽される。
【００１３】
本発明の課題解決手段に示される電磁波照射用導子では、放射手段が渦巻き状の導線により構成されているので、導線にて発生した電磁波が患部に照射され、当患部に対する温熱治療が行われるが、その際、発生した電磁波が、放射手段の背面に位置する遮蔽手段に反射して、前面側に位置する生体患部を照射することになり、その結果、生体の患部には、より多くの電磁波が照射されることになる。
【００１４】
本発明の課題解決手段に示される電磁波照射用導子では、放射手段が一対の電極から構成されているので、これら電極間に生体の患部を挟んだ状態で、放射手段に電圧を印加した場合に、放射手段から電磁波が放射されて、この電磁波が電極間の生体患部に照射されるとともに、各電極の背面に位置する遮蔽手段が、放射手段からの電磁波をそれぞれ反射し、これら電極間に位置する生体の患部に対して、より多くの電磁波が照射されることになる。
【００１５】
本発明の課題解決手段に示される電磁波照射用導子では、放射手段の前面でかつ生体に接する側に配置された第１の緩衝材と、放射手段の背面側でかつ遮蔽手段との間に配置された第２の緩衝材と、遮蔽手段の背面側に配置された第３の緩衝材とから緩衝手段が構成されているので、第１の緩衝材によって放射手段と患部との間隔が適正に保たれ、第２の緩衝材によって確実に電磁波を反射しかつ遮蔽できる間隔に遮蔽手段が配置され、第３の緩衝材によって外部からの衝撃が吸収される。
【００１６】
本発明の課題解決手段に示される電磁波照射用導子では、遮蔽手段が柔軟性を有する格子状体から構成されるものであり、これにより生体にフィットする装着ができる。又、放射手段を構成する一対の電磁板を様々な角度で配置、例えば、患部を挟むように配置しても、電磁板間に位置する遮蔽手段が柔軟に屈曲するために、２枚の電磁板の動きを妨げることがなく、自由な角度、位置に電磁板が配置される。
【００１７】
本発明の課題解決手段に示される電磁波照射用導子を備えた電磁波治療器では、装着手段により、前述した電磁波照射用導子が生体の患部に対して脱着されるようになっており、装着時において、電磁波照射用導子から放射された電磁波が、生体に対して効率良く照射される。
【発明の効果】
【００１８】
本発明の課題解決手段に示される電磁波照射用導子では、放射手段の背面側に遮蔽手段が設けられているので、この遮蔽手段によって、放射手段の背面側に向け放射された電磁波が遮られ、かつその電磁波が遮蔽手段に反射して前面側にある生体患部に照射される。これにより生体の患部には、より多くの電磁波が照射されることになり、治療効率の向上を図ることが可能となる。また、この遮蔽手段より、外部に向け放射された電磁波を遮蔽することが可能であるので、周囲の電子機器に与える電磁波の悪影響も防ぐことができる。
【００１９】
本発明の課題解決手段に示される電磁波照射用導子では、放射手段が渦巻き状の導線により構成されているので、導線にて発生した電磁波が患部に照射され、当患部に対する温熱治療が行われるが、その際、発生した電磁波が、放射手段の背面に位置する遮蔽手段に反射して、前面側に位置する生体患部を照射することになり、その結果、生体の患部には、より多くの電磁波が照射されることになり、治療効率の向上を図ることが可能となる。
【００２０】
本発明の課題解決手段に示される電磁波照射用導子では、放射手段が一対の電極から構成されているので、これら電極間に生体の患部を挟んだ状態で、放射手段に電圧を印加した場合に、放射手段から電磁波が放射されて、この電磁波が電極間の生体患部に照射されるとともに、各電極の背面に位置する遮蔽手段が、放射手段からの電磁波をそれぞれ反射し、これら電極間に位置する生体の患部に対して、より多くの電磁波が照射されることになり、治療効率の向上を図ることが可能となる。
【００２１】
本発明の課題解決手段に示される電磁波照射用導子では、放射手段の前面でかつ生体に接する側に配置された第１の緩衝材と、放射手段の背面側でかつ遮蔽手段との間に配置された第２の緩衝材と、遮蔽手段の背面側に配置された第３の緩衝材とから緩衝手段が構成されているので、第１の緩衝材によって、放射手段と患部との間隔を適正に保ち効率の良く患部への電磁波照射を行うことができ、第２の緩衝材によって、確実に電磁波を反射しかつ遮蔽できる最適な間隔に遮蔽手段を位置させることができ、更に、第３の緩衝材によって、外部からの衝撃を吸収することができる。
【００２２】
本発明の課題解決手段に示される電磁波照射用導子では、遮蔽手段が柔軟性を有する格子状体から構成されるものであり、これにより遮蔽手段を生体にフィットする装着ができ、良好な装着感を得ることが可能となる。又、放射手段を構成する一対の電磁板を様々な角度で配置、例えば、患部を挟むように配置しても、電磁板間に位置する遮蔽手段が柔軟に屈曲するために、２枚の電磁板の動きを妨げることがなく、自由な角度に電磁板を位置させることが可能となる。
【００２３】
本発明の課題解決手段に示される電磁波照射用導子を備えた電磁波治療器では、装着手段により、前述した電磁波照射用導子が生体の患部に対して脱着されるようになっており、装着時において、電磁波照射用導子から放射された電磁波を、生体に対して効率良く照射することが可能となる。
【発明を実施するための最良の形態】
【００２４】
（実施例１）
以下に本発明の実施例１を図１及び図２に基づいて説明する。
図１は本発明に係る電磁波照射用導子１００の全体図を示すものである。
電磁波照射用導子１００は、全体として板状に形成された放射手段を備えている。この放射手段５０は、図２に示されるように、コード２０を介して治療器本体の出力端子（図示略）に接続され、この出力端子から供給される駆動電力により、生体Ｍの患部に対して電磁波を放射するものである（後述する）。放射手段５０の背面側には、放射手段５０から放射された電磁波を遮る遮蔽手段５１が設けられている。遮蔽手段５１は、例えば銀フィルム、高分子ポリマーシートといった材料からなる柔軟性を有する格子状の板状体であって、放射手段５０から背面側に放射された電磁波を前面側に反射し、後方に拡散することを防止する。なお、本実施例では、遮蔽手段５１を格子状としたが、格子状とは図１のように網目状のものも含むものとする。また、十分な柔軟性を有するのであれば必ずしもこの格子は必須では無い。
【００２５】
放射手段５０及び遮蔽手段５１の前面側及び背面側には、緩衝手段５２が積層されている。緩衝手段５２は、放射手段５０の前面かつ生体に接する側に配置された第１の緩衝材５２Ａと、放射手段５０の背面側でかつ遮蔽手段５１との間に配置された第２の緩衝材５２Ｂと、遮蔽手段５１の背面側に配置された第３の緩衝材５２Ｃとから構成されたものであり、例えば合成ゴム、天然ゴム、ウレタンゴム、シリコンゴム、ＥＰＴゴム等からなるシートにより構成され、全体として柔軟性を有している。第１の緩衝材５２Ａは、放射手段５０と生体Ｍの患部との間に一定の間隔を保つために設けられているものであり、その厚さを適正に定めることにより、患部への電磁波照射を最大の効率とすることができる。第２の緩衝材５２Ｂは、放射手段５０と遮蔽手段５１との間隔を一定に保つために設けられているものであり、その厚さを適正に定めることにより、放射手段５０からの電磁波が遮蔽手段５１にて反射される効率を最大とすることができる。第３の緩衝材５２Ｃは外部からの衝撃を吸収し、放射手段５０を保護するものである。なお、第２の緩衝材５２Ｂは具体的には３〜２０ｍｍの厚さとすることが好ましい。
【００２６】
次に、図２を参照して電磁波照射用導子１００における放射手段５０の具体的な構成を説明する。この放射手段５０は、コイル型パッド導子であって、コード接続板１６によって支持されたコード２０を介して治療器本体の出力整合回路（図示せず）に接続されている。コード２０に接続される導線１２は、誘電率が低く耐熱性の高い絶縁部材、例えばシリコン樹脂で被覆されると共に、渦巻き状に巻かれたもので、ターン数を例えば１０ターンとする。導線１２は導線収容部１４内に収容されており、この芯部１４ｂの周囲に導線１２が渦巻き状に巻かれることにより、直線状をなす領域１２ａと、屈曲された領域１２ｂとが形成されたものである。この導線１２には、間欠的にシリコンゴム等の柔軟性に富む接着剤からなり、同導線１２の相対変位を規制するための導体保持部１３が設けられている。なお、実施例１に示す放射手段５０として、例えば特開２００１−４６５２１号公報に示される技術が使用される。
【００２７】
そして、上記のように構成された電磁波照射用導子１００では、治療器本体の出力整合回路を通して、放射手段５０内の渦巻き状の導線１２に駆動電圧が印加されることで、導線１２にて電磁波が発生し、この発生した電磁波が生体Ｍの患部に照射され、当患部に対する温熱治療が行われることになる。その際、放射手段５０の背面側に設けられた遮蔽手段５１によって、放射手段５０の背面側に向け照射された電磁波が遮られるとともに、その電磁波が遮蔽手段５１に反射して前面側にある生体Ｍに照射される。これにより生体の患部には、より多くの電磁波が照射されることになり、治療効率の向上を図ることが可能となる。また、この遮蔽手段５１より、外部に向け放射された電磁波を遮蔽することが可能であるので、周囲の電子機器に与える電磁波の悪影響も防ぐことができる。なお、前記放射手段５０は、導線収容部１４内に収容されているが、渦巻き形状が維持されるのであれば、導線収容部１４内に収容する必要は無く、第１の緩衝材５２Ａと第２の緩衝材５２Ｂとの間に直接積層しても良い。また、電磁波照射用導子１００は、図１に符号５５で示すカバーに収納して人体に装着し、その際に、カバーを生体Ｍの腕、脚、胴体に巻きつけるためのベルト、紐を取り付けても良い。そして、これらカバー５５、ベルト、紐等によって、請求の範囲に示す装着手段が構成される。さらに、電磁波照射用導子１００と、装着手段と、治療器本体などによって電磁波治療器が構成される。
【００２８】
（実施例２）
以下に本発明の実施例２を図３〜図５に基づいて説明する。図３は本発明に係わる電磁波照射用導子１０１の全体図を示すものであって、この電磁波照射用導子１０１が、実施例１に示される電磁波照射用導子１００と異なる点は放射手段６０の構成にある。すなわち、その相違は、実施例１に示される放射手段５０がインダクタンス型であるのに対して、実施例２の放射手段６０は、一対の電極６０Ａ・６０Ｂを有するキャパシタンス型である点にある。電磁波照射用導子１０１では、一対の電極６０Ａ・６０Ｂにより放射手段６０が構成され、かつ柔軟性を有する材料で遮蔽手段５１及び緩衝手段５２が形成されていることから、中心線Ｌを境に折り畳み自在、屈曲自在となり、電磁波照射を行う患部の状態に応じて、電極６０Ａと電極６０Ｂとを様々な位置関係、角度で配置させることができる。なお、図３にて、電磁波照射用導子１０１の中心線Ｌを境に右半分を導子部１０１Ａ、左半分を導子部１０１Ｂとする。また、放射手段６０の背面側には、放射手段６０から放射された電磁波を遮る遮蔽手段５１が設けられ、放射手段６０及び遮蔽手段５１の前面側及び背面側には、緩衝手段５２が積層されているが、これら遮蔽手段５１、緩衝手段５２の構成、機能については、実施例１と同じである。また、図３では、遮蔽手段５１及び緩衝手段５２の緩衝材５２Ａ・５２Ｂを一体型としたが、これに限定されず、放射手段６０と同様にそれぞれ一対としても良い。
【００２９】
次に、図４及び図５を参照して電磁波照射用導子１０１を備えた電磁波治療器１０２の具体的構成を説明する。これら図４及び図５に符号３２で示されるカバー内には、電磁波照射用導子１０１を構成する導子部１０１Ａ・１０１Ｂが共に収納されている。また、これら図４及び図５は導子部１０１Ａ・１０１Ｂ内の電極６０Ａ・６０Ｂの具体的構成を示すものであり、遮蔽手段５１及び緩衝手段５２の図示は省略されている。
【００３０】
図４に示されるように、導子部１０１Ａには電磁波を照射する電極６０Ａがあり、この電極６０Ａはコード固定板３１によりカバー３２に固定される。電極６０Ａは、銅などの金属導体を材料とする平板又は金網形状で、寸法は例えば１０ｃｍ×１０ｃｍの略正方形をしており、２芯のコード３３と接続されている。コード固定板３１は、図５に示すように電極６０Ａに固定された扇型の板金で、同軸ケーブルよりなるコード３３の芯線を固定する。カバー３２は、電極６０Ａ及びコード固定板３１を覆う絶縁性の布からなる。好ましくは、カバー３２にポリエステル製フェルトを用いて、剛性の高い電極６０Ａと患者の皮膚との馴染みを良くすると共に、電極６０Ａを保護して機械的損傷や漏電の発生を防止すると良い。また、カバー３２には電極６０Ａを支持する支持バンド３４が設けられ、この支持バンド３４を介して、生体Ｍの腕、脚、胴体に装着する固定ベルト４５に固定されている。
【００３１】
導子部１０１Ｂは、電磁波を照射する電極６０Ｂを有するものであり、この電極６０Ｂは同軸ケーブルよりなるコード３７に接続されるとともに、コード固定板（図示せず）によりカバー３２に固定されている。また、カバー３２には、電極６０Ｂを支持する支持バンド３８が設けられ、この支持バンド３８を介して、生体Ｍの腕、脚、胴体に装着する固定ベルト４５に固定されている。電極６０Ａ・６０Ｂに電力を供給するコード３３・３７の先端には、３端子プラグ４４が設けられ、この３端子プラグ４４を介して、治療器本体にある出力整合回路の出力端子（図示せず）に接続される。なお、固定ベルト４５は、布製でもよく、また紐や帯でも良い。
【００３２】
なお、実施例２では、カバー３２、支持バンド３４・３８、固定ベルト４５によって請求の範囲に示され装着手段１０３が構成される。そして、この装着手段１０３によって、電磁波照射用導子１０１を構成する導子部１０１Ｂ・１０１Ａが、生体Ｍの患部に対して装着される。また、実施例１に示される電磁波照射用導子１００を、実施例２と同様な、カバー３２、支持バンド３４・３８、固定ベルト４５からなる装着手段１０３により、生体Ｍの患部に装着しても良い。
【００３３】
このように構成された電磁波治療器１０２では、患部が腕や足の場合には、中央の屈曲部４３を腕や足の厚みに応じて屈曲させて、導子部１０１Ａ・１０１Ｂにより患部を挟む。そして、固定ベルト４５によって導子部１０１Ａ・１０１Ｂを患部に対して固定し、電磁波治療を行う。また、患部が肩や腰の場合には、屈曲部４３を背骨に位置合わせして、背骨に対して左右対称に肩や腰の患部と対向するように導子部１０１Ａ・１０１Ｂを位置合わせする。そして、固定ベルト４５によって導子部１０１Ａ・１０１Ｂを患部に対して固定し、電磁波治療を行う。屈曲部４３により導子部１０１Ａ・１０１Ｂが人体の曲面に沿うように固定されるので、導子部１０１Ａ・１０１Ｂ間で電磁波が患部を透過して、温熱治療が行われる。なお、実際例２に示す放射手段５０として、例えば特開２００１−４６５２０号公報に示される技術が使用される。
【００３４】
そして、以上のように上記のように構成された電磁波治療器１０２では、治療器本体の出力端子から、電磁波照射用導子１０１の放射手段６０を構成する一対の電極６０Ａ・６０Ｂに駆動電圧が印加されることで、電極６０Ａ・６０Ｂにて電磁波が発生し、この発生した電磁波が電極６０Ａ・６０Ｂ間の生体Ｍの患部に照射され、当患部に対する温熱治療が行われることになる。その際、放射手段６０の背面側に設けられた遮蔽手段５１によって、放射手段６０の背面側に向け照射された電磁波が遮られるとともに、その電磁波が遮蔽手段５１に反射して前面側にある生体Ｍに照射される。これにより生体の患部には、より多くの電磁波が照射されることになり、治療効率の向上を図ることが可能となる。また、この遮蔽手段５１より、外部に向け放射された電磁波を遮蔽することが可能であるので、周囲の電子機器に与える電磁波の悪影響も防ぐことができる。
【産業上の利用可能性】
【００３５】
本発明は、超短波やマイクロ波といった電磁波を人体に照射し、体内に発生する透熱効果により温熱治療を行う電磁波照射用導子、及びこの電磁波照射用導子を備えた電磁波治療器に関する。
【図面の簡単な説明】
【００３６】
【図１】本発明の実施例１を示す図で、（Ａ）は斜視図、（Ｂ）はその正面図
【図２】実施例１の放射手段５０を具体的に示す図で、（Ａ）は放射手段５０の平面図、（Ｂ）は図（Ａ）を矢印Ｂ−Ｂに沿って切った断面図
【図３】本発明の実施例２を示す図で、（Ａ）は斜視図、（Ｂ）はその正面図
【図４】図３の電磁波照射用導子１０１を用いた電磁波治療器１０２を示す平面図
【図５】図４の導子部１０１Ａを詳細に示す平面図
【符号の説明】
【００３７】
５０  放射手段
５１  遮蔽手段
５２  緩衝手段
５５  カバー（装着手段）
６０  放射手段
６０Ａ  電極
６０Ｂ  電極
１００  電磁波照射用導子
１０１  電磁波照射用導子
１０１Ａ  導子部
１０１Ｂ  導子部
１０２  電磁波治療器
１０３  装着手段
【図１】
2008073164.tif 000003
【図２】
2008073164.tif 000004
【図３】
2008073164.tif 000005
【図４】
2008073164.tif 000006
【図５】
2008073164.tif 000007